(57)【要約】通信サービスの収益を回収する方法とシステムは、マッピングルックアップサービスを含む。このマッピングルックアップサービスは、ディジタルペンからのマッピング情報に対する要求に応答して、ディジタルペーパ上でのディジタルペンの位置に対応するマッピング情報を検索するように構成されている。ディジタルペーパ上でのディジタルペンの位置に対応するサービスを提供するサービスプロバイダ又はネットワークオペレータは、マッピングルックアップサービスからマッピング情報の検索の支払いを請求される。
2004513461.tif 000002
【特許請求の範囲】
【請求項１】
ユーザに対してプロダクツを提供するために、要求を、通信サービスのプロバイダを介して受け取るステップであって、前記要求が、当該要求を反映する信号を発生するペン状デバイスを用いて前記ユーザの情報検出に応答して発生される、前記ステップと；
情報を、その受け取られた要求に応答して送信させるステップと；
支払いを求める要求を、通信サービスの前記プロバイダに対して送信するステップと；
を含む、通信システム中で支払いを回収する方法。
【請求項２】
前記プロダクツが、ルックアップサービスによって提供される情報ルックアップを含み；
支払いを求める前記要求が、前記ルックアップサービスによるルックアップ料金の代償を求める；
請求項１に記載の方法。
【請求項３】
支払いを求める前記要求が、複数の情報ルックアップに対する代償を求める１つの要求を含む、請求項２に記載の方法。
【請求項４】
前記情報ルックアップに対する支払いを前記ユーザに請求するステップをさらに含み；
前記ユーザが、前記通信サービスプロバイダによって支払い請求される；
請求項２に記載の方法。
【請求項５】
前記通信サービスプロバイダが、前記ユーザによって開始された一連の情報ルックアップサービスを一緒にして、前記一連のルックアップに対する支払いを一度で前記ユーザに請求する、請求項２に記載の方法。
【請求項６】
前記通信サービスプロバイダが、雇用者の複数のユーザ被雇用者によって開始された一連の情報ルックアップサービスを一緒にして、前記一連の情報ルックアップに対する支払いを前記ユーザの雇用者に請求する、請求項２に記載の方法。
【請求項７】
情報を送信させる前記ステップ中に、前記情報が、ルックアップサービスから前記ユーザのペン状デバイスに送信される、請求項１に記載の方法。
【請求項８】
前記プロダクツが、商品とサービスから成るグループから選ばれる、請求項１に記載の方法。
【請求項９】
前記要求が、前記プロダクツをベンダーから購入する注文を含み；
通信サービスの前記プロバイダが、前記ユーザによる購入に対して前記ベンダーに代償を求める；
請求項８に記載の方法。
【請求項１０】
通信サービスの前記プロバイダが、前記ベンダーからの前記ユーザの購入に対する支払いを前記ユーザに請求する請求項８に記載の方法。
【請求項１１】
通信サービスの前記プロバイダが、前記ベンダーからの前記ユーザの購入に対する支払いを前記ユーザに、通信サービスの送り状の作成もする１つの支払い請求ステートメント中で請求する、請求項８に記載の方法。
【請求項１２】
前記プロダクツが、ルックアップサービスによって提供される情報ルックアップと商品及びサービスから成るグループから選ばれた少なくとも１つの項目との双方を含み；
送信中に、ルックアップサービスが、前記通信サービスプロバイダに対して、ルックアップ料金の代償を求める請求を送信し；
前記項目のベンダーが、前記通信サービスプロバイダに対して、前記項目の代償を求める要求を送信する；
請求項１に記載の方法。
【請求項１３】
情報ルックアップをユーザに提供するためにルックアップサービスにおける要求を受け取るステップであり、前記要求が、前記要求を反映する信号を発生するペン状デバイスを用いて前記ユーザの情報検出に応答して発生される、前記ステップと；
情報を、前記ルックアップサービスから前記ユーザに対して送信させるステップと；
前記ユーザ以外のエンティティに、前記情報ルックアップに対する支払いを請求するステップと；
を含む、通信システム中で支払いを回収する方法。
【請求項１４】
前記ユーザ以外の前記エンティティが、前記ユーザと前記ルックアップサービスとの間で通信リンクを提供する通信サービスプロバイダである、請求項１３に記載の方法。
【請求項１５】
前記通信サービスプロバイダが、前記情報ルックアップに対する支払いを前記ユーザに請求する、請求項１４に記載の方法。
【請求項１６】
支払い請求中に、前記ルックアップサービスは、前記ユーザが提携関係にある組織に対して代償を求める要求を送る、請求項１３に記載の方法。
【請求項１７】
前記組織が、前記ユーザの雇用者である、請求項１６に記載の方法。
【請求項１８】
支払い請求中に、前記ルックアップサービスが、個々の情報ルックアップ毎に一連の支払い請求要求を一緒にして、前記組織に対して直接に、代償を求める１つの請求書で送信する、請求項１６に記載の方法。
【請求項１９】
ディジタルペーパ上でのディジタルペンの位置に対応するマッピング情報に対する要求を受け取るステップであり、前記位置が、ネットワークオペレータによって提供されたサービスに対応する、前記ステップと；
前記マッピング情報を検索するステップと；
前記マッピング情報を前記ディジタルペンに送るステップと；
前記マッピング情報を検索したことに対する支払いを前記ネットワークオペレータから回収するステップと；
を含む、通信システム中で支払いを回収する方法。
【請求項２０】
前記受け取られた要求が、前記ディジタルペンのアイデンティフィケーションと前記ディジタルペーパ上での前記ディジタルペンの位置を示す座標との双方を含む、請求項１９に記載の方法。
【請求項２１】
前記マッピング情報が、前記ネットワークオペレータのユニフォーム・リソース・ロケータ（ＵＲＬ）を含む、請求項１９に記載の方法。
【請求項２２】
前記回収ステップが：
前記マッピング情報の検索に対する支払いを前記ネットワークオペレータに請求するステップと；
前記ネットワークオペレータから前記支払いを受け取るステップと；
を含む、請求項１９に記載の方法。
【請求項２３】
前記ネットワークオペレータからの前記支払いが、エンドユーザから受け取った前記ネットワークオペレータの支払いの一部である、請求項２２に記載の方法。
【請求項２４】
ディジタルペーパ上でのディジタルペンの位置に対応するマッピング情報に対する要求を受け取るステップであり、前記位置が、ネットワークオペレータによって提供されたサービスに対応する、前記ステップと；
前記マッピング情報を検索するステップと；
前記検索の送り状を前記ネットワークオペレータに送るステップと；
前記送り状に対する支払いを前記ネットワークオペレータから回収するステップと；
を含む、通信システム中で支払いを回収する方法。
【請求項２５】
ディジタルペーパ上でディジタルペンを移動させることによって開始されるサービスに対する支払いをエンドユーザに請求するステップと；
前記サービスに対する支払いを前記エンドユーザから受け取るステップと；
マッピングルックアップサービスから、前記ディジタルペーパ上での前記ディジタルペンの位置に対応するマッピング情報の検索の送り状を受け取るステップと；
前記マッピングルックアップサービスに対して、前記エンドユーザから受け取った前記支払いの一部分を送るステップと；
を含む、通信システム中で支払いを回収する方法。
【請求項２６】
前記マッピング情報が、前記ディジタルペンの前記位置に対応する前記サービスを提供するネットワークオペレータのユニフォーム・リソース・ロケータ（ＵＲＬ）を含む、請求項２５に記載の方法。
【請求項２７】
ディジタルペーパ上でのディジタルペンの位置に対応するマッピング情報に対する要求を受け取るステップであり、前記位置が、サービスプロバイダによって提供されたサービスに対応する、前記ステップと；
前記マッピング情報を検索するステップと；
前記マッピング情報を前記ディジタルペンに送るステップと；
前記検索に対する支払いを前記サービスプロバイダから回収するステップと；
を含む、通信システム中で支払いを回収する方法。
【請求項２８】
前記サービスプロバイダが、通信ネットワークにアクセスするための支払いをネットワークオペレータに送る、請求項２７に記載の方法。
【請求項２９】
前記サービスプロバイダが、前記サービスプロバイダによって提供された前記サービスに対する支払いを支払いプロバイダに請求し；
前記支払いプロバイダが、前記サービスに対する支払いをエンドユーザに請求する；
請求項２７に記載の方法。
【請求項３０】
前記エンドユーザが、前記通信ネットワークにアクセスするための支払いを前記ネットワークオペレータに送る、請求項２９に記載の方法。
【請求項３１】
前記要求が、前記ディジタルペンのアイデンティフィケーションと前記ディジタルペーパ上での前記ディジタルペンの前記位置を示す座標との双方を含む、請求項２７に記載の方法。
【請求項３２】
前記マッピング情報が、前記サービスプロバイダのユニフォーム・リソース・ロケータ（ＵＲＬ）を含む、請求項２７に記載の方法。
【請求項３３】
前記回収ステップが：
前記マッピング情報の検索に対する支払いを前記サービスプロバイダに請求するステップと；
前記サービスプロバイダから前記支払いを受け取るステップと；
を含む、請求項２７に記載の方法。
【請求項３４】
ディジタルペーパ上でのディジタルペンの位置に対応するエンドユーザのためのサービスを提供するステップと；
前記ディジタルペーパ上での前記ディジタルペンの前記位置に対応するマッピング情報の検索の送り状をマッピングルックアップサービスから受け取るステップと；
前記送り状に対する前記マッピングルックアップサービスの支払いを送るステップと；
を含む、通信システムで支払いを回収する方法。
【請求項３５】
通信ネットワークに対するアクセスの送り状をネットワークオペレータから受け取るステップと；
前記ネットワークオペレータからの前記送り状に対する支払いを前記ネットワークオペレータに送るステップと；
をさらに含む、請求項３４に記載の方法。
【請求項３６】
前記エンドユーザが、前記通信ネットワークに対するアクセスに対する支払いを前記ネットワークオペレータに送る、請求項３５に記載の方法。
【請求項３７】
前記マッピング情報が、前記サービスプロバイダのユニフォーム・リソース・ロケータ（ＵＲＬ）を含む、請求項３４に記載の方法。
【請求項３８】
マッピング情報を求める要求に応答してディジタルペーパ上でのディジタルペンの位置に対応するマッピング情報を検索するように動作するマッピングルックアップサービスと；
前記ディジタルペンの前記位置に対応するサービスを提供し、また、前記ディジタルペンの前記位置に対応する前記サービスに対する支払いをエンドユーザに請求するように動作するネットワークオペレータであり、前記マッピングルックアップサービスが、前記マッピング情報の検索に対する支払いを前記ネットワークオペレータから回収する、前記ネットワークオペレータと；
を備える、通信システム中で支払いを回収するシステム。
【請求項３９】
前記マッピング情報が、前記ネットワークオペレータのユニフォーム・リソース・ロケータ（ＵＲＬ）を含む、請求項３８に記載のシステム。
【請求項４０】
マッピング情報を求める要求に応答してディジタルペーパ上でのディジタルペンの位置に対応するマッピング情報を検索するように動作するマッピングルックアップサービスと；
前記ディジタルペンの前記位置に対応するサービスをエンドユーザに提供するように動作するサービスプロバイダであり、前記マッピングルックアップサービスが、前記マッピング情報の検索に対する支払いを前記サービスプロバイダから回収する、前記サービスプロバイダと；
通信ネットワークに対するアクセスに対する支払いを前記サービスプロバイダに請求するように動作するネットワークオペレータと；
を備える、通信システム中で支払いを回収するシステム。
【請求項４１】
前記マッピング情報が、前記サービスプロバイダのユニフォーム・リソース・ロケータ（ＵＲＬ）を含む、請求項４０に記載のシステム。
【請求項４２】
前記ネットワークオペレータが、前記通信ネットワークに対するアクセスに対する支払いを前記エンドユーザに請求する、請求項４０に記載のシステム。
【請求項４３】
マッピング情報を求める要求に応答してディジタルペーパ上でのディジタルペンの位置に対応するマッピング情報を検索するように動作するマッピングルックアップサービスと；
前記ディジタルペンの前記位置に対応するサービスをエンドユーザに提供するように動作するサービスプロバイダであり、前記マッピングルックアップサービスが、前記マッピング情報の検索に対する支払いを前記サービスプロバイダから回収する、前記サービスプロバイダと；
前記ディジタルペンの前記位置に対応する前記サービスに対する支払いを前記エンドユーザに請求するように動作する支払いプロバイダであり、前記サービスプロバイダが、前記ディジタルペンの前記位置に対応する前記サービスに対する支払いを前記支払いプロバイダに請求する、前記支払いプロバイダと；
通信ネットワークに対するアクセスに対する支払いを前記サービスプロバイダとエンドユーザに請求するように動作するネットワークオペレータと；
を備える、通信システム中で支払いを回収するシステム。
【請求項４４】
前記マッピング情報が、前記サービスプロバイダのユニフォーム・リソース・ロケータ（ＵＲＬ）を含む、請求項４３に記載のシステム。
【発明の詳細な説明】
【０００１】
（関連出願へのクロスリファレンス）
本出願は、２００１年４月６日に提出された「通信サービスの収益を回収する方法とシステム」という題名の米国暫定出願第６０／２８１，７８６号と；２００１年３月２１日に提出された「通信サービスの方法とシステム」という題名の米国暫定出願第６０／２７７，２８５号と；２００１年１月１２日に提出された「情報管理のための方法、システム及びプロダクツ」という題名の米国暫定出願第６０／２６１，１２２号と；の３５Ｕ．Ｓ．Ｃ．§１１９における優先権を主張するものである。上記の暫定出願の開示内容は、その全体を参照してここに表現して組み込む。本出願はまた、２０００年１１月１３日に提出されたスエーデン特許出願第０００４１５６−６号と；２００１年４月６日に提出されたスエーデン特許出願第０１０１２４０−０号と；の３５Ｕ．Ｓ．Ｃ．§１１９における優先権を主張するものである。
【０００２】
（技術分野）
本発明は、一般的には、データ処理システムに関し、より詳しくは、通信システムにおけるサービスに対する収益を回収するシステムと方法に関する。
【０００３】
（発明の背景および情報）
ネットワークイネーブル式のコンピュータと他の通信デバイスによって、個人が電子的に通信し、また、電子的に商取引を実行することが可能となる。たとえば、電子メールは、しばしばメッセージの送信に使用され、また、インターネットのＷｅｂサイトによって、情報、商品及びサービスをネットワークを介して入手することが可能である。
【０００４】
ネットワークにアクセスする仕方は、使用されているハードウエアのタイプによって異なることがある。たとえば、モバイル電話に対するアクセスでは、しばしば、このモバイル電話のキーを用いたり、又は他の事例では、ボイスコマンドを用いたりする。ＰＤＡを介してネットワークにアクセスする場合、知覚表面上で針を用い、また、ネットワークにパソコンやラップトップでアクセスする場合、キーボードやマウスが用いられる。
【０００５】
一部のネットワークベースの通信や取引は、ユーザがぎこちなくて面倒と感じる入力デバイスによって妨げられることがある。個人はしばしば、ペンと紙を使用して、さらに、通信用ハードウエアが小型化するに連れて、二次的にキーボードやマウスを使用して情報を伝達するのが非常に楽であるが、入力デバイスはますます使いにくいものとなっている。このため、技術が使いにくいものと成りかねない。
【０００６】
加えて、ネットワークベースの金融取引は、ぎこちなくて面倒な支払いのための手順やスキームによって妨げられる。支払い方法が不当に煩わしかったり、幾分面倒であったりすると、技術の広範囲にわたる応用に悪影響を及ぼす。
【０００７】
（発明の概要）
通信システムにおける支払いを回収する方法には、要求を、通信サービスのプリバイダを介して受信して、ユーザにプロダクツを提供するステップが含まれる。この要求は、この要求を反映する信号を発生するペン状のデバイスを用いてユーザの情報検出に応答して発生される。次に、情報が、この受信された要求に応答して送信される。加えて、支払いに対する要求が次に、通信サービスのプロバイダに対してなされる。
【０００８】
このプロダクツには、ルックアップサービスによって提供される情報ルックアップが含まれており、この支払い要求によって、このルックアップサービスによるルックアップ料金の補償を求められることがある。この支払い要求として、複数の情報ルックアップの補償を求める１つの要求がなされることがある。ユーザは、通信サービスプロバイダを介して間接的に請求されることがある。請求は、取引ベースで、又は、ひとまとめにして実行されたりする。
【０００９】
プロダクツはまた、ユーザが注文したベンダーからの商品やサービスであったりする。この場合、通信サービスのプロバイダは、ユーザによる購入に対してベンダーに補償し、その後で、サービスに対してユーザに、たぶん追加の取引料金と共に支払い請求する。ベンダーはまた、取引の料金を支払ったり、この取引を仲介してくれたことに対して通信サービスのプロバイダに対してあるパーセンテージを支払ったりする。すると、通信サービスのプロバイダは、ユーザがベンダーから購入したものに対してユーザに、通信サービスの送り状を含む１つの支払い請求ステートメントで、支払い要求をする。
【００１０】
別の例では、本発明は、要求がルックアップサービスに対して送られ、これで、ユーザに対して情報ルックアップを提供する通信システム中で支払いを回収する方法を含む。この要求は、この要求を反映する信号を発生するペン状のデバイスを用いてユーザが情報を検出すると反応して発生されたりする。すると、情報が、ルックアップサービスからユーザに送信され、これで、ユーザ以外のエンティティが、この情報のルックアップに対する料金の支払いを請求される。
【００１１】
さらに別の例では、本発明は、ディジタルペン又はディジタルペーパの位置に対応するマッピング情報を求める要求がマッピングルックアップサービスに送られる、通信システムにおける支払いの回収方法を含む。このペン又はペーパの位置は、ネットワークのオペレータが提供したサービスに対応する。マッピング情報が次に検索されて、ディジタルペンに送られ、このマッピング情報の検索に対する支払いをネットワークオペレータから回収する。
【００１２】
上記の情報は、本発明の態様のほんの数例であり、本発明の完全な範囲と精神を反映する意図はない。
【００１３】
（発明を実施するための最良の形態）
以下に、本発明を添付図面を参照して詳しく説明する。本説明は、例示実施形態を含むが、他の実施形態も可能であり、ここに説明する実施形態を、本発明の精神と範囲内で変更することが許される。以下の詳述は、本発明を制限するものではない。また、本発明の範囲は、添付クレーム及びその同等物によって定義される。
【００１４】
概要
本発明の原理による方法とシステムは、通信サービスの収益を回収することを可能とする。マッピングルックアップサービスによって、ディジタルペーパ上でのディジタルペンの位置に対応するマッピング情報が、このディジタルペンからのマッピング情報に対する要求に応答して検索される。代替例では、電子ペン状デバイスを用いて、命令を読み取ったり、別様に発生したりして、その命令をネットワークを介して送信する。
【００１５】
サービスプロバイダ又はネットワークオペレータは、ディジタルペーパ上でのディジタルペンの位置を要求されたアクションに相互関連付けさせるサービスか又は前記の命令を別様に伝達するサービスを提供し、要求されたアクションをそれに応答して提供する。これで、サービスプロバイダ又はネットワークオペレータは、たとえばマッピングルックアップサービスによって、マッピング情報の検索に対する支払いを請求される。
【００１６】
第１の支払い請求取り決めでは、ネットワークオペレータは、ディジタルペンの位置に対応するサービスを提供し、そのサービスに対してユーザに支払い請求する。第２の支払い請求取り決めでは、サービスプロバイダとネットワークオペレータ間の同意によって、サービスプロバイダがエンドユーザに対してサービスを提供している場合には、ネットワークオペレータは、通信ネットワークへのアクセスに対してサービスプロバイダに支払い請求して、エンドユーザには経費は回されない。第３の支払い請求取り決めでは、ネットワークオペレータは、サービスプロバイダとエンドユーザに、通信ネットワークへのアクセスに対する支払い請求する。第４の支払い請求取り決めでは、サービスプロバイダは、支払いプロバイダとの同意を結ぶ。この支払いプロバイダは、サービスプロバイダに、エンドユーザに提供されたサービスに対して支払いをし、エンドユーザには、そのサービスに対する支払いを請求する。ネットワークオペレータもまた、サービスプロバイダとエンドユーザに、通信ネットワークへのアクセスに対する支払いを請求する。
【００１７】
ネットワーク環境
図１Ａは、本発明の特徴と態様が実現される例示のネットワーク環境の図である。ネットワーク環境１００は、個人のエンドユーザ１０２ａ〜１０２ｎと、通信デバイス１０４ａ〜１０４ｎ及び１１４ａ〜１１４ｎと、ネットワーク１０６と、マッピングルックアップサービス１０８と、ネットワークオペレータ１１０ａ〜１１０ｎと、ビジネスエンドユーザ１１２ａ〜１１２ｎと、サービスプロバイダ１１６ａ〜１１６ｎと、支払いプロバイダ１１８ａ〜１１８ｎとを含む。ネットワーク環境１００内の構成要素の数は、図示のものに限られない。
【００１８】
個人エンドユーザ１０２ａ〜１０２ｎは、ディジタルペンなどの携帯型の手持ち式デバイスと、ディジタルペーパなどの表面とを用いて、ネットワークオペレータやサービスプロバイダが提供したサービスを獲得する個人であったりする。たとえば、ディジタルペーパ上にディジタルペンで書いたものは、ファクシミリメッセージや、電子メール（電子メール）メッセージや、ショートメッセージ（たとえば、ＳＭＳ：ショートメッセージサービス）に変換される。このようなメッセージは、この書き物が示す適切な宛先に経路付けされる。このディジタルペンは、ネットワーク上における直接的な通信用の送信機を含むか、又は、モバイル電話などの中間通信デバイスもしくはネットワーク接続されたコンピュータやＰＤＡ（個人用ディジタル補助装置）を介してネットワーク上で情報を中継する送信機を含む。別のペン関連の機能の例には、エンドユーザが、商品やサービスを購入することを可能とするようなものが含まれる。たとえば、花の宣伝を、ディジタルペーパコードを含む部分と共に印刷したりする。この宣伝の適切な部分にディジタルペンを触れることによって、花の注文が、この注文を遂行することが可能な当地の花屋に出される。
【００１９】
ビジネスエンドユーザ１１２ａ〜１１２ｎは、ディジタルペンなどの携帯型の手持ち式デバイスとディジタルペーパなどの表面を、個別のエンドユーザ１０２ａ〜１０２ｎと類似の仕方で用いる。しかしながら、ビジネスエンドユーザは、一般には、ネットワークオペレータとサービスプロバイダ間の合意のもとに、ディジタルペンを用いる。ビジネスエンドユーザは、本取り決めにおけるサービスプロバイダの被雇用者であるか又はビジネスパートナーであるかのどちらかである。たとえば、ビジネスエンドユーザ１１２ａは、ＵＰＳ（Ｕｎｉｔｅｄ Ｐａｒｃｅｌ Ｓｅｒｖｉｃｅ）の被雇用者かもしれない。ＵＰＳは、ディジタルペンベースの在庫システムを有し、また、配送要員にディジタルペンを装備して、配送ステータス情報をホストコンピュータに送信するようにしている。したがって、ＵＰＳは、サービスプロバイダである（たとえば、新しい在庫サービスとは、提供されたサービスである）。ＵＰＳは、エンドユーザとペン毎の別口支払い請求口座とは反対に、ＵＰＳの総合口座が支払い請求される場合にはネットワークオペレータと合意する。
【００２０】
ディジタルペーパは、特許権保護されている固有のパターンが印刷済みの通常のペーパであったりする。このパターンのごくわずかな部分が、固有に定義された機能と関連しており、これで、このパターン部分がディジタルペンによって検出されると、この関連機能が実施されるようにする。このパターンは、公称の間隔を持つ小さい点を含むが、これらの点は、格子構造体から少し変位している。顧客がディジタルペーパ上にディジタルペンを用いてものを書くに連れて、ペンは、（たとえば、１／１００秒毎に）パターンの周期的なスナップショットをとる。各スナップショットには、ペンの正確な位置を計算するに十分な情報が含まれている。この情報は、マッピングルックアップサービス１０８などのマッピングルックアップサービスが、ネットワークオペレータ又はサービスプロバイダがフルパターン上の特定のロケーションに対応すると判定した後で、ペンに保存して、適切なネットワークオペレータ又はサービスプロバイダに対して送出することが可能である。代替例では、ディジタルペンは、機能を示す情報を伝える他の形態のコードを読み取るように構成してもよい。
【００２１】
フルパターンによってカバーされている完全アドレス指定可能エリアを、サイズがまちまちの多くのドメインに分割するが、これらのドメインの一部はあるアプリケーションに事前定義し、それ以外を会社と当局に対して認可する。たとえば、グラフィック電子メールやＳＭＳなどの、ある集合を成すサービスをエンドユーザに提供するネットワークオペレータは、ドメインを認可することが可能である。ドメイン中のエリアは、各々が自身に割り当てられた機能性を持つアプリケーションの範囲に対して用いることが可能である。
【００２２】
ディジタルペンは、たとえば、従来型のインク容器、ディジタルカメラなどの検出装置、画像プロセッサ、メモリ及びトランシーバを備えている。当業者は、このディジタルペンに備えられる構成部品の数は多い場合も少ない場合もあることが認識されよう。たとえば、一部のディジタルペンには、インク容器がない。ディジタルカメラは、このペンからの赤外線で照射されてカメラにとって可視となるパターンのディジタルスナップショットをとる。画像プロセッサは、パターン内におけるスナップショットの正確な位置を計算する。この位置は、このスナップショットに対応する座標を決定することが可能な程度にまで決定される。メモリは、画像プロセッサからのデータを保存し、また、いくつかの完全に書かれたページを保存する。
【００２３】
トランシーバは、情報を赤外線又は電波で送信する。Ｂｌｕｅｔｏｏｔｈトランシーバであるこのトランシーバは、情報を、通信デバイス１０４などの通信デバイスでマッピングルックアップサービス１０８に送信する。この情報には、位置情報とペンアイデンティフィケーションが含まれている。トランシーバはまた、ディジタルペーパ上の書き物を示すデータを適切なネットワークオペレータ又はサービスプロバイダに送信する。ディジタルペンを、Ｂｌｕｅｔｏｏｔｈトランシーバを含むものとして説明したが、当業者は、他のトランシーバが使用可能であることが認識されよう。このトランシーバによる情報の転送は、無線転送である必要はなく、ケーブルによって転送してもよい。
【００２４】
個人エンドユーザ１０２ａなどの個人エンドユーザは、ネットワークオペレータや、サービスプロバイダや、支払いプロバイダなどの様々なエンティティからのディジタルペンとディジタルペーパに対応するサービスの送り状を受信する。それに応答して、個人エンドユーザは、そのサービスに対する支払いを適切なエンティティに送る。ときとして、個人エンドユーザは、ディジタルペンとディジタルペーパに対応するサービスに対して課金されないことがあるが、それでも、ネットワークオペレータによって提供された通信チャネルを使用したことに対してネットワークオペレータに財政上の責任がある。
【００２５】
通信デバイス１０４ａ〜１０４ｎ及び１１４ａ〜１１４ｎは、エンドユーザによって操作されたディジタルペンからの無線情報を受信して、マッピングルックアップサービス１０８、サービスプロバイダ１１６ａ〜１１６ｎ及び／又はネットワークオペレータ１１０ａ〜１１０ｎなどの遠隔のロケーションにネットワーク１０６（インターネットを含む無線又は有線の通信ネットワークを含む）を介してそれを転送する。この情報は、ペンアイデンティフィケーション、位置情報及び手書きのデータが含まれる。通信デバイス１０４ａなどの通信デバイスはまた、マッピングルックアップサービス１０８からのマッピング情報を受信して、これを、この情報を要求したディジタルペンに転送する。１つの実施形態では、マッピング情報は、エンドユーザによって利用されているサービスを提供しているネットワークオペレータやサービスプロバイダのＵＲＬ（ユニフォーム・リソース・ロケータ）である。通信デバイスは、たとえば、モバイル電話、コンピュータ又はＰＤＡ（個人用ディジタル補助装置）である。
【００２６】
マッピングルックアップサービス１０８は、位置情報をマッピング情報と関連付けるルックアップテーブルを維持している。位置情報には、ディジタルペーパ上でのディジタルペンのロケーションを示す座標が含まれる。より特定的には、この座標は、フルパターン上でのディジタルペンのロケーションに対応している。このロケーションは、事前定義されたアプリケーションに割り当てられたり、又は、ネットワークオペレータもしくはサービスプロバイダによって認可されたりする。マッピング情報には、（たとえば、ロケーションが認可されている場合に）エンドユーザによって利用されているサービスを提供しているネットワークオペレータ又はサービスプロバイダのＵＲＬが含まれる。
【００２７】
図１Ｂに、マッピングルックアップサービス１０８が使用するルックアップテーブルを示す。このルックアップテーブルには、リストアップされた座標とそれに対応するＵＲＬが含まれる。マッピングルックアップサービス１０８は、ルックアップテーブルを局所的に保存するか、又は、それに遠隔からアクセする。当業者は、ルックアップテーブルには他の情報も保存され得ることが認識されよう。
【００２８】
マッピングルックアップサービス１０８は、マッピング情報を探している様々なエンドユーザから要求を受信する。適当なマッピング情報を検索した後で、マッピングルックアップサービスは、この情報を要求元のエンドユーザに送り、すると、このエンドユーザは、適切なネットワークオペレータ又はサービスプロバイダにコンタクトすることが可能となる。マッピングルックアップサービス１０８は、自身がマッピング情報を検索するに連れて、パターン内の関連セクションに対応するペンアイデンティフィケーション及びネットワークオペレータもしくはサービスプロバイダに気付いて、支払い請求データを収集する。この支払い請求データに基づいて、マッピングルックアップサービス１０８は、送り状を様々なネットワークオペレータ及びサービスプロバイダに周期的に送って、マッピング情報を検索する。
【００２９】
ネットワークオペレータ１１０ａ〜１１０ｎは、通信用のチャネルを持つエンドユーザとサービスプロバイダ（たとえば、通信サービスプロバイダ）となるエンティティであったりする。たとえば、ＡＴ＆Ｔや、Ｓｐｒｉｎｔや、ＭＣＩなどのモバイルオペレータ又はテレコムオペレータはすべて、ネットワークオペレータである。通常の当業者は、通信ネットワークを他の組織に対して利用可能とする組織もまた、ネットワークオペレータであると認識されよう。
【００３０】
通信チャネルを提供する（たとえば、ネットワークにアクセスする）ことに加えて、ネットワークオペレータ１１０ａなどのネットワークオペレータは、様々なペン関連のサービスをエンドユーザに提供したりする。たとえば、ネットワークオペレータ１１０ａは、グラフィック電子メール、グラフィックファックス、グラフィックＳＭＳ、ディジタルノートパッド又はディジタルペーパカレンダのサービスを個人エンドユーザ１０２ａに提供する。ネットワークオペレータは、ベンダーとビジネス関係を結んで、ベンダーの情報にアクセスしたり、ベンダーに商品やサービスを提供したりする。他のサービスもまた、提供される。個人エンドユーザ１０２ａが、ネットワークオペレータ１１０ａによって提供されたペン関連のサービスを用いると、ネットワークオペレータ１１０ａは、サービスの使用の及び／又は得られた商品／サービスの経費の送り状をこの個人エンドユーザ１０２ａに送る。この送り状は、エンドユーザによって用いられたサービスを項目別にリストアップされたもの又は総額支払い請求書を含む。代替例として、ペン関連のサービスの使用は、ネットワークオペレータと個人エンドユーザの全体的通信サービス合意（たとえば、追加の支払いは必要ない、など）の一部である。
【００３１】
サービスプロバイダ１１６ａ〜１１６ｎは、ベンダーであったり、エンドユーザに対してペン関連サービスをマーケティングしたりサポートする他のエンティティであったりする。サービスプロバイダ１１６ａなどの、個人エンドユーザやビジネスエンドユーザ用にペン関連のサービスを提供するサービスプロバイダは、そのサービスに対して実行されるあらゆるマッピング情報検索の経費の責任をマッピングルックアップサービス１０８に対して負う責任がある。サービスプロバイダの例には、ＵＰＳ（前述のもの）、インターネットベースの花屋又は、顧客にプロダクツとサービスを提供する他のなんらかのビジネスがある。
【００３２】
サービスプロバイダ１１６ａ〜１１６ｎは、ネットワークオペレータや支払いプロバイダなどの他のエンティティと合意を結んだりする。合意は各々が、その支払い請求取り決めが互いに異なったものとなる。サービスプロバイダは、一般的に、エンドユーザがペンで所望した特定のサービスを示すディジタルペンから情報を受信する。エンドユーザにこの所望のサービスを与えた後、サービスプロバイダは、マッピングルックアップサービス１０８から、マッピング情報の検索の送り状を受信する。支払い請求取り決め次第では、送り状と支払いもまた、サービスプロバイダと、ネットワークオペレータと、支払いプロバイダと、エンドユーザとの間で何らかの仕方で交換される。以下に特定の支払い請求取り決めを、図２〜５を参照して説明する。
【００３３】
支払いプロバイダ１１８ａ〜１１８ｎは、様々なサービスプロバイダ及びエンドユーザとの合意に関係する金融機関であったりする。支払いプロバイダ１１８ａなどの支払いプロバイダは、サービスプロバイダに対するエンドユーザの支払い請求を取り扱う。支払いプロバイダは、すべての取引に関係していることはないが、サービスプロバイダが取引の金銭的リスクを冒したくない場合には、特定の価値を追加する。サービスプロバイダはそれでも、マッピングルックアップサービス１０８からマッピング情報検索に対する送り状を、また、ネットワークオペレータから通信チャネルの使用に対する送り状を受信する。加えて、サービスプロバイダは、送り状を支払いプロバイダ１１８ａに送り、次に、支払いプロバイダ１１８ａから支払いを受け取る。このようにして、サービスプロバイダは、サービスに対する支払いを受け取る。これらの支払いは、部分的には、支払いをマッピングルックアップサービス１０８に送るために用いられる。支払いプロバイダの例には、クレジットカード会社、公益企業又は、エンドユーザ及び／又はサービスプロバイダと関係を持つ他の組織がある。
【００３４】
支払い請求取り決め
図２は、本発明にしたがった第１の支払い請求取り決めの方法の例示的フローチャートである。この支払い請求取り決めは、他のペン関連サービスよりしばしば用いられる基本的なペン関連サービスの集合を、ネットワークオペレータがユーザに対して提供するような状況においては特に良く適している。この取り決めでは、ネットワークオペレータは、個人エンドユーザに、ペン関連サービスなどのサービスを提供する。最初に、個人エンドユーザ１０２ａなどの個人エンドユーザは、ディジタルペンとディジタルペーパを用いて、ネットワークオペレータ１１０ａなどのネットワークオペレータによって提供されたサービスにアクセスする（ステップ２０２）。たとえば、個人エンドユーザ１０２ａは、グラフィック電子メールを特定の人物に対して送ることを所望したりする。個人エンドユーザ１０２ａは、ディジタルペンとディジタルペーパを用いて、手書きのメッセージを、対象とする受領者に書き送る。このメッセージを完成したら、個人エンドユーザ１０２ａは、メッセージを送るように指定されたディジタルペーパのエリアにディジタルペンで触れる。ディジタルペーパのこのエリアを送出コマンドであると認識して、ディジタルペンは、マッピングルックアップサービス１０８に対して通信デバイス１０４ａを介して要求を送る（ステップ２０４）。この要求には、ペンアイデンティフィケーションと位置情報の双方が含まれる。位置情報には、たとえば、特許権保護されたフルパターン中の座標が含まれる。
【００３５】
マッピングルックアップサービス１０８は、一旦この要求を受信すると、位置情報を用いて、テーブル中のこの位置情報に対応するマッピング情報をルックアップして検索する（ステップ２０６）。たとえば、このマッピング情報は、グラフィック電子メールの送信専用のロケーションのＵＲＬを含む。マッピング情報を検索した後は、マッピングルックアップサービス１０８は、マッピング情報を個人エンドユーザ１０２ａのディジタルペンに対して、たとえば、ペンアイデンティフィケーション情報を用いて返す（ステップ２０８）。このディジタルペンは、マッピング情報（たとえば、ＵＲＬ）を用いて、適切なネットワークオペレータ１１０ａにコンタクトして、ネットワークオペレータ１１０ａに、ペンアイデンティフィケーションと位置情報を送る（ステップ２１０）。一旦コンタンクが確立されると、ネットワークオペレータ１１０ａは、どのデータを送るか、そのデータをどのようにフォーマッティングしてタグ付けするか、そのデータをどこに送るかに関してディジタルペンに命令する。次に、ディジタルペンは、エンドユーザがディジタルペーパ上に書いたときにディジタルペンが保存した手書きのデータを含む適切なデータをネットワークオペレータ１１０ａに送る。その後で、ネットワークオペレータ１１０ａは、個人エンドユーザ１０２ａが所望した特定のペン関連サービスを実行する。
【００３６】
このサービスを実行した後で、ネットワークオペレータ１１０ａは、個人エンドユーザ１０２ａに対して、サービスを使用したことに対する支払いを請求する（ステップ２１２）。たとえば、ネットワークオペレータ１１０ａは、個人エンドユーザ１０２ａに対して、このサービスに対して支払いをすべきであることを示す送り状を送る。この送り状は、エンドユーザによって用いられたサービスが項目化されてリストアップされたものを含むか、又は、総額支払い請求書であったりする（送り状は、サービスが提供される毎に、又は、一連の取引を一緒にして、ユーザに対して一時に支払い請求される）。代替例では、ネットワークオペレータ１１０ａは、送り状を個人エンドユーザ１０２ａの雇用者に送る。個人エンドユーザ１０２ａ又はユーザの雇用者からネットワークオペレータ１１０ａに対する支払いは、たとえば、取引ベースの料金又は均一料金である。代替例では、ペン関連サービスの使用は、ネットワークオペレータとの個人エンドユーザの全体的な通信サービスについての合意の一部である（たとえば、追加の支払いは不要である、など）。
【００３７】
マッピングルックアップサービス１０８はまた、ネットワークオペレータ１１０ａと関連したマッピング情報の検索に対する支払いをネットワークオペレータ１１０ａに対して請求する（ステップ２１４）。たとえば、マッピングルックアップサービス１０８は、ネットワークオペレータ１１０ａに、情報検索に対する支払いをすべきである（たとえば、マッピングルックアップサービス１０８は、マッピング情報をルックアップしたことに対する補償を求めている）ことを示す送り状を送る。マッピングルックアップサービス１０８は、情報検索が一回終わる毎に送り状を送り、所定回数の情報検索が成されるまで又は所定のドル金額値に達するまで待つ。また、周期的送り状を送る（たとえば、毎週、毎月、など）。ネットワークオペレータ１１０ａは、所定の取り決めが要求するように、送り状に基づいて支払いをする。
【００３８】
図３は、図２に示す支払い請求取り決めが用いられた場合の、個人エンドユーザと、ネットワークオペレータと、マッピングルックアップサービスとの間におけるやりとりの例示的な図である。図３に示すデータフローは、図２の一部のステップに対応している。具体的には、ステップ３０２はステップ２０４に、ステップ３０４はステップ２０８に、ステップ３０６はステップ２１０に、ステップ３０８と３１０はステップ２１２に、ステップ３１２と３１４はステップ２１４に対応している。
【００３９】
図４は、本発明に従った第２の支払い請求取り決めの方法の例示的フローチャートである。この支払い請求取り決めは、サービスプロバイダが、サービス経費を、エンドユーザとしての役割を果たしているその被雇用者又はビジネスパートナに回すことを所望しない状況においては特に良く適している。そして、このサービスプロバイダは、ネットワークオペレータとの合意の一部として、経費を自分自身に回されることを望む。この取り決めでは、サービスプロバイダは、ビジネスエンドユーザに、ペン関連サービスを提供する。最初に、ビジネスエンドユーザ１１２ａなどのビジネスエンドユーザは、ディジタルペンとディジタルペーパを用いたりして、サービスプロバイダ１１６ａによって提供されたサービスを利用することを要求する（ステップ４０２）。たとえば、ビジネスエンドユーザ１１２ａは、サービスプロバイダ１１６ａの被雇用者やビジネスパートナであって、ディジタルペンベースの在庫サービスを使用することを所望したりする。ビジネスエンドユーザ１１２ａは、ディジタルペンを用いて、適切な仕方でディジタルペーパ上にものを書く。この書き物が完了すると、ビジネスエンドユーザ１１２ａは、情報を送るために指定されたディジタルペーパのエリアにディジタルペンを触れる。ディジタルペンは、ディジタルペーパのこのエリアを認識して、要求をマッピングルックアップサービス１０８に通信デバイス１１４ａを介して送る（ステップ４０４）。この要求には、ペンアイデンティフィケーションと位置情報（たとえば、座標）が含まれる。
【００４０】
一旦この要求を受信すると、マッピングルックアップサービス１０８は、位置情報を用いて、テーブル中のこの位置情報に対応するマッピング情報をルックアップして検索する（ステップ４０６）。このマッピング情報には、たとえば、ペン関連サービスをビジネスエンドユーザ１１２ａに提供しているサービスプロバイダ１１６ａのＵＲＬが含まれる。マッピングルックアップサービス１０８は、マッピング情報を検索した後は、マッピング情報を、たとえば、ペンアイデンティフィケーション情報を用いているビジネスエンドユーザ１１２ａのディジタルペンに返す（ステップ４０８）。ディジタルペンは、マッピング情報（たとえば、ＵＲＬ）を用いて、適切なネットワークオペレータ１１０ａにコンタクトして、ネットワークオペレータ１１０ａにペンアイデンティフィケーションと位置情報を送る（ステップ４１０）。ネットワークオペレータ１１０ａは、一旦コンタクトが確立すると、どのデータを送るか、そのデータをどのようにフォーマッティングしてタグ付けするか、そのデータをどこに送るかに関してディジタルペンに命令する。次に、ディジタルペンは、エンドユーザがディジタルペーパ上に書いたときにディジタルペンが保存した手書きのデータを含む適切なデータをネットワークオペレータ１１０ａに送る。その後に、サービスプロバイダ１１６ａは、ビジネスエンドユーザ１１２ａが所望した特定のペン関連サービスを実行する。
【００４１】
この支払い請求取り決めでは、ビジネスエンドユーザ１１２ａは、サービスプロバイダ１１６ａの被雇用者かビジネスパートナかのどちらかである。したがって、サービスプロバイダ１１６ａは、サービス経費をビジネスエンドユーザ１１２ａに回すことを所望しない。そして、サービスプロバイダ１１６ａは、ビジネスエンドユーザが、ネットワークオペレータの通信チャネル又は他のサービスを使用したことに対して課金されないというネットワークオペレータとの合意に達する。そして、これらの経費は、かわりにサービスプロバイダ１１６ａに合意の一部として回される。このように、ネットワークオペレータは、合意毎にサービスプロバイダ１１６ａに支払い請求する（ステップ４１２）。これを遂行するために、ネットワークオペレータ１１０ａは、サービスプロバイダ１１６ａに、ネットワークオペレータ１１０ａが提供した通信チャネルを用いたことに対して支払いをしなければならないことを示す送り状を送る。次に、サービスプロバイダ１１６ａは、ネットワークオペレータ１１０ａに、適切な支払いを送る。
【００４２】
マッピングルックアップサービス１０８ａはまた、サービスプロバイダ１１６ａと関連したマッピング情報の検索に対する支払いをサービスプロバイダ１１６ａに請求する（ステップ４１４）。たとえば、マッピングルックアップサービス１０８は、サービスプロバイダ１１６ａに、情報検索に対して支払いをしなければならないことを示す送り状を送る。マッピングルックアップサービス１０８は、情報を検索する毎に送り状を送り、所定回数の情報検索が実行されるまで待つか、所定のドル金額に達するまで待つ。また、周期的送り状が送られる（たとえば、毎週、毎月、など）。次に、サービスプロバイダ１１６ａは、適切な支払いを送る。
【００４３】
図５は、図４に示す支払い請求取り決めが用いられた場合の、ビジネスエンドユーザと、ネットワークオペレータと、サービスプロバイダと、マッピングルックアップサービスとの間における、やりとりの例示的な図である。図５に示すデータフローは、図４の一部のステップに対応している。具体的には、ステップ５０２はステップ４０４に、ステップ５０４はステップ４０８に、ステップ５０６はステップ４１０に、ステップ５０８と５１０はステップ４１２に、ステップ５１２と５１４はステップ４１４に対応している。
【００４４】
図６は、本発明に従った第３の支払い請求取り決めの方法の例示的フローチャートである。この支払い請求取り決めは、サービスプロバイダが個人エンドユーザにペン関連サービスを提供することを希望する状況に特に良く適している。この取り決めでは、サービスプロバイダは、個人エンドユーザにペン関連サービスを提供する。最初に、個人エンドユーザ１０２ａなどの個人エンドユーザは、サービスプロバイダ１１６ａなどのサービスプロバイダによって提供されたサービスにアクセスする目的で、ディジタルペンとディジタルペーパを用いる（ステップ６０２）。たとえば、花を注文することを希望する個人エンドユーザ１０２ａは、花の宣伝のコーディング済み部分をディジタルペンで走査することによって注文したりする。その結果、花の注文は、たとえば、この注文を遂行して、ユーザの電話代勘定書に請求することが可能な当地の花屋に出される。受取人の情報は、ディジタルペンを用いて入力して送信され、これで、購入者のアイデンティティは、ペンによって送信された固有のアイデンティフィケーション番号でわかる。
【００４５】
別の例は、個人エンドユーザが、コーディングされた航空会社の宣伝を用いて飛行機のチケットを購入する場合である。サービスを完遂するためには、個人エンドユーザ１０２ａは、最初に、メッセージを送るために指定されているディジタルペーパのエリアにディジタルペンを触れる。ディジタルペンは、ディジタルペーパのこのエリアを認識すると、マッピングルックアップサービス１０８に要求を送る（ステップ６０４）。この要求には、ペンアイデンティフィケーションと位置情報（たとえば、座標）が含まれる。
【００４６】
マッピングルックアップサービス１０８は、一旦この要求を受け取ると、位置情報を用いて、テーブル中のこの位置情報に対応するマッピング情報をルックアップして検索する（ステップ６０６）。このマッピング情報は、たとえば、個人エンドユーザ１０２ａにペン関連サービスを提供しているサービスプロバイダ１１６ａのＵＲＬを含んでいる。マッピングルックアップサービス１０８は、マッピング情報を検索した後は、たとえば、ペンアイデンティフィケーション情報を用いて個人エンドユーザ１０２ａのディジタルペンにマッピング情報を返す（ステップ６０８）。このディジタルペンは、マッピング情報（たとえば、ＵＲＬ）を用いて、適切なネットワークオペレータ１１０ａにコンタクトして、ネットワークオペレータ１１０ａにペンアイデンティフィケーションと位置情報を送る（ステップ６１０）。一旦コンタクトが確立されると、ネットワークオペレータ１１０ａは、どのデータを送るか、そのデータをどのようにフォーマッティングしてタグ付けするか、そのデータをどこに送るかに関してディジタルペンに命令する。次に、ディジタルペンは、エンドユーザがディジタルペーパ上に書いたときにディジタルペンが保存した手書きのデータを含む適切なデータをネットワークオペレータ１１０ａに送る。その後、サービスプロバイダ１１６ａは、個人エンドユーザ１０２ａが所望する特定のペンベースのサービスを実行する。
【００４７】
ネットワークオペレータ１１０ａなどのネットワークオペレータは、ネットワークオペレータの通信チャネルを使用したこと（たとえば、ネットワークに対するアクセス）に対する支払いを個人エンドユーザ１０２ａとサービスプロバイダ１１６ａの双方に請求する。たとえば、ネットワークオペレータ１１０ａは、個人エンドユーザ１０２ａとサービスプロバイダ１１６ａに対して、その通信チャネルを介してデータを伝達したことに対して支払いをしなければならないことを示す送り状を送る。
【００４８】
サービスプロバイダ１１６ａは、実行されたサービスに対する支払いを個人エンドユーザ１０２ａに対して請求することを選ぶことがある。たとえば、すでに述べたように、ディジタルペンとディジタルペーパを用いて花を購入した個人エンドユーザ１０２ａは、サービスプロバイダ１１６ａから直接に花の送り状を受け取る。代替例では、個人エンドユーザ１０２ａは、通常はネットワークオペレータ１１０ａから受け取る送り状の一部として花の送り状をネットワークオペレータ１１０ａから受け取る。この場合、ネットワークオペレータ１１０ａは、サービスプロバイダ１１６ａに、購入したプロダクツ／サービス（たとえば、花）に対する補償をする。
【００４９】
マッピングルックアップサービス１０８はまた、サービスプロバイダ１１６ａと関連するマッピング情報の検索に対する支払いをサービスプロバイダ１１６ａに請求する（ステップ２１４）。たとえば、マッピングルックアップサービス１０８は、サービスプロバイダ１１６ａに対して、情報検索に対して支払いをすべきであることを示す送り状を送る。マッピングルックアップサービス１０８は、情報検索が実行される毎に送り状を送り、所定回数の情報検索が遂行されるまで又は所定ドル金額に達するまで待つ。また、周期的に送り状を送る（たとえば、毎週、毎月、など）。次に、サービスプロバイダ１１６ａは、適切な支払いを送る。
【００５０】
図７は、図６に示す支払い請求取り決めを用いた場合において、ビジネスエンドユーザと、ネットワークオペレータと、サービスプロバイダと、マッピングルックアップサービスとの間におけるやりとりの例示的な図である。図７に示すデータフローは、図６のステップの一部に対応している。具体的には、ステップ７０２はステップ６０４に、ステップ７０４はステップ６０８に、ステップ７０６はステップ６１０に、ステップ７０８、７１０、７１２及び７１４はステップ６１２に、ステップ７１６と７１８はステップ６１４に対応している。
【００５１】
図８は、本発明に従った第４の支払い請求取り決めの方法の例示的フローチャートである。この支払い取り決めは、サービスプロバイダが、取引の金銭的リスクを冒すことを好まず、たとえば、第三機関としての金融機関のサービスを用いることを選ぶような状況では特に良く適している。この取り決めでは、サービスプロバイダ又はネットワークオペレータは、個人エンドユーザに、ペン関連サービスを提供する。最初に、個人エンドユーザ１０２ａなどの個人エンドユーザは、ネットワークオペレータ又はサービスプロバイダ１１６ａなどのサービスプロバイダによって提供されたサービスにアクセスする目的でディジタルペンとディジタルペーパを用いる（ステップ８０２）。たとえば、家具を注文することを所望する個人エンドユーザ１０２ａは、ディジタルペーパ上に宣伝が印刷された部分を持つ家具の宣伝を用いてそのようにする。この宣伝の適切な部分をディジタルペンで走査することによって、家具の注文が、この注文を遂行可能な家具店に出される。サービスを完遂するためには、個人エンドユーザ１０２ａは、最初に、ディジタルペーパの様々なエリアにディジタルペンで触れて、布地を選ぶ等のオプションを選択する。次に、ユーザは、メッセージ送出用に指定されているエリアを走査する。ディジタルペンは、ディジタルペーパのこのエリアを認識すると、マッピングルックアップサービス１０８に対して通信デバイス１０４ａを介して要求を送る（ステップ８０４）。この要求は、ペンアイデンティフィケーションと位置情報（たとえば、座標）を含んでいる。
【００５２】
マッピングルックアップサービス１０８は、一旦この要求を受け取ると、この位置情報を用いて、テーブル中のこの位置情報に対応するマッピング情報をルックアップして検索する（ステップ８０６）。このマッピング情報は、たとえば、個人エンドユーザ１０２ａにペン関連サービスを提供しているサービスプロバイダ１１６ａのＵＲＬを含んでいる。マッピング情報を検索した後、マッピングルックアップサービス１０８は、たとえば、ペンアイデンティフィケーション情報を用いて個人エンドユーザ１０２ａのディジタルペンに対してマッピング情報を返す（ステップ８０８）。ディジタルペンは、マッピング情報（たとえば、ＵＲＬ）を用いて、適切なネットワークオペレータ１１０ａにコンタクトして、ネットワークオペレータ１１０ａにペンアイデンティフィケーションと位置情報を送る（ステップ８１０）。一旦コンタクトが確立されると、ネットワークオペレータ１１０ａは、どのデータを送るか、そのデータをどのようにフォーマッティングしてタグ付けするか、そのデータをどこに送るかに関してディジタルペンに命令する。次に、ディジタルペンは、エンドユーザがディジタルペーパ上に書いたときにディジタルペンが保存した手書きのデータを含む適切なデータをネットワークオペレータ１１０ａに送る。その後、サービスプロバイダ１１６ａは、個人エンドユーザ１０２ａが所望した特定のペン関連サービスを実行する。
【００５３】
ネットワークオペレータ１１０ａなどのネットワークオペレータは、個人エンドユーザ１０２ａとサービスプロバイダ１１６ａの双方に対して、ネットワークオペレータの通信チャネルを用いたことに対して支払い請求する（ステップ８１２）。たとえば、ネットワークオペレータ１１０ａは、個人エンドユーザ１０２ａとサービスプロバイダ１１６ａに対して、その通信チャネルを介してデータを伝達したことに対して支払いをしなければならないことを示した送り状を送る。
【００５４】
家具は比較的高価な買い物であるため、サービスプロバイダ又はネットワークオペレータは、周期的な支払い請求（たとえば、月ごとの電話支払い請求）で支払いを回収するというリスクを冒したがらないことがある。このようにして、支払いプロバイダ１１８ａなどの支払いプロバイダは、サービスプロバイダに対するエンドユーザの支払い請求を処理する。したがって、支払いプロバイダ１１８ａは、本質的に、支払い回収の金銭的リスクを冒すことが前提となる。サービスプロバイダ１１６ａは、送り状を支払いプロバイダ１１８ａに送り、続いて、支払いプロバイダ１１８ａからの支払いを受け取る（ステップ８１４）。このようにして、サービスプロバイダは、即座に補償を受け取る。次に、支払いプロバイダ１１８ａが、サービスプロバイダ１１６ａによって又はこれを介して提供されたサービスの送り状を、個人エンドユーザ１０２ａに送る（ステップ８１６）。当業者には、ネットワークオペレータは、エンドユーザにペン関連サービスを提供したかもしれないことが認識されよう。その場合、ネットワークオペレータは、サービスプロバイダ１１６ａに関して上述されたようにその処理を実行する。
【００５５】
マッピングルックアップサービス１０８はまた、サービスプロバイダ１１６ａと関連したマッピング情報の検索に対する支払いをサービスプロバイダ１１６ａに請求する（ステップ８１８）。たとえば、マッピングルックアップサービス１０８は、情報検索の支払いをしなければならないことを示す送り状をサービスプロバイダ１１６ａに送る。マッピングルックアップサービス１０８は、情報検索が終了する毎に送り状を送り、所定回数の情報検索が成されるまで又は所定ドル金額に達するまで待つ。また、周期的な送り状（たとえば、毎週、毎月、など）を送る。次に、サービスプロバイダ１１６ａは、支払いを適切に送る。
【００５６】
図９は、図８に示す支払い請求取り決めを用いる場合における、ビジネスエンドユーザと、ネットワークオペレータと、サービスプロバイダと、支払いプロバイダと、マッピングルックアップサービスとの間におけるやりとりの例示的な図である。図９に示すデータフローは、図８の一部のステップに対応している。具体的には、ステップ９０２はステップ８０４に、ステップ９０４はステップ８０８に、ステップ９０６はステップ８１０に、ステップ９０８、９１０、９１２及び９１４はステップ８１２に、ステップ９１６と９１８はステップ８１４に、ステップ９２０と９２２はステップ８１６に、ステップ９２４と９２６はステップ８１８に対応している。
【００５７】
この特許に対する出願との同時係属出願として：２０００年３月２１日に提出されたスエーデン出願第００００９４７−２号及び２０００年５月３０日に提出された米国暫定出願第６０／２０７，８３９号に基づく「情報保存のためのシステムと方法」という題名の出願と；２０００年３月２１日に提出されたスエーデン出願第００００９４２−３号及び２０００年５月３０日に提出された米国暫定出願第６０／２０７，８５０号に基づく「座標システムを用いた確実アクセス」と；２０００年４月５日に提出されたスエーデン出願第０００１２４５−０号及び２０００年６月９日に提出された米国暫定出願第６０／２１０，６５１号に基づく「位置コーディングパターンを用いた印刷のためのシステムと方法」と；２０００年３月２１日に提出されたスエーデン出願第００００９５０−６号及び２０００年５月３０日に提出された米国暫定出願第６０／２０７，８３８号に基づく「画像コーディングに関連する装置と方法」と；２０００年３月２１日に提出されたスエーデン出願第００００９５１−４号及び２０００年５月３０日に提出された米国暫定出願第６０／２０７，８４４号に基づく「空間方位を決定する装置と方法」と；２０００年３月２１日に提出されたスエーデン出願第００００９４９−８号及び２０００年５月３０日に提出された米国暫定出願第６０／２０７，８８５号に基づく「位置情報を決定するシステムと方法」と：２０００年３月２１日に提出されたスエーデン出願第００００９４１−５号及び２０００年５月３１日に提出された米国暫定出願第６０／２０８，１６５号に基づく「グラフィックオブジェクトを転送して表示する方法とシステム」と；２０００年３月２１日に提出されたスエーデン出願第００００９４４−９号及び２０００年５月３０日に提出された米国暫定出願第６０／２０７，８８１号に基づく「オンライングラフィックメッセージサービス」と；２０００年３月２１日に提出されたスエーデン出願第００００９４５−６号及び２０００年５月３０日に提出された米国暫定出願第６０／２０７，８８２号に基づく「ユーザ選択された特性を持つフリーハンドグラフィックをディジタイズする方法とシステム」と；２０００年４月５日に提出されたスエーデン出願第０００１２３６−９号及び２０００年５月３１日に提出された米国暫定出願第６０／２０８，１６７号に基づく「検出可能な位置コーディングパターンを有するデータ形態」と；２０００年４月５日に提出されたスエーデン出願第０００１２５２−６号及び２０００年６月９日に提出された米国暫定出願第６０／２１０，６５３号に基づく「価値のある文書を管理する方法と装置」と；２０００年４月５日に提出されたスエーデン出願第０００１２５３−４号及び２０００年６月９日に提出された米国暫定出願第６０／２１０，６５２号に基づく「情報管理のための方法と装置」と；２０００年３月２１日に提出されたスエーデン出願第００００９４０−７号及び２０００年５月３１日に提出された米国暫定出願第６０／２０８，１６６号に基づく「通信のためのデバイスと方法」と；２０００年４月５日に提出されたスエーデン出願第０００１２３５−１号及び２０００年６月９日に提出された米国暫定出願第６０／２１０，６４７号に基づく「情報関連のデバイスと方法」と；２０００年３月２１日に提出されたスエーデン出願第００００９５４−８号及び２０００年５月３０日に提出された米国暫定出願第６０／２０７，８４９号に基づく「文書の処理」と；２０００年３月２１日に提出されたスエーデン出願第００００９４３−１号及び２０００年５月３０日に提出された米国暫定出願第６０／２０７，８８０号に基づく「確実な署名チェックシステム」と；２０００年４月５日に提出されたスエーデン出願第０００１２３５−１号、２０００年６月９日に提出された米国暫定出願第６０／２１０，６４７号及び２０００年１１月１０日に提出されたスエーデン出願第０００４１３２−７号に基づく「仮想ラスターパターンの識別」と；がある。
【００５８】
これらの、米国出願、米国暫定出願及びスエーデン出願の各々の技術的開示を参照してここに組み込む。本書で用いる「技術的開示」の組み込みには、関連技術の特徴となる、又は、関連技術に関して本発明の利点と目的を特徴付ける情報は含まれない。
【００５９】
本発明を様々な実施形態を参照して説明したが、当業者には多くの修正が容易に明らかであろう。たとえば、図２〜９の支払い請求取り決めを別々に説明したが、当業者には、これらの取り決めの一部又はすべてが、同時並行的に存在し得ることが明らかであろう。当業者はまた、本発明によるシステムと方法のすべて又は一部が、ハードディスクや、フロッピディスクや、ＣＤ−ＲＯＭ；インターネットなどのネットワークから受信された搬送波；又は他の形態のＲＯＭやＲＡＭ；の場合と同様に、二次記憶装置などのコンピュータ読み取り可能媒体に保存したりこれから読み取ったりされ得ることを理解するであろう。加えて、様々なフローチャートと図の各ステップが特定の順序で表されているが、当業者は、これらのステップが別の順序でも実行され得ること、一部のステップが省略され得ること及びステップを一部追加し得ること−これらはすべて本発明の精神と範囲内にある−を理解するであろう。
【００６０】
さらに、マッピングルックアップサービスの例示実施形態について説明したが、本発明は、その広い意味において、そのように制限されるものではない。ペンによって検出されたコードは、より大きい地図の一部である必要はなく、その代わり、より直接的に実行可能な命令を包含する。したがって、本発明は、ここに開示する内容に制限されるものではなく、その適用物と変更物を含むことを意図するものである。
【００６１】
好ましい実施形態の前述の説明中で、開示を簡略化するために、本発明の様々な特徴を１つの実施形態と一緒のカテゴリに入れている。この開示方法は、請求されている本発明が、各クレームに明示的に記載されているより多くの特徴を必要とする意図を反映するものであると解釈されるべきではない。むしろ、次のクレームに反映されるように、本発明の態様は、前記の開示されている１つの実施形態のすべての特徴が無くても成り立つ。したがって、次のクレームは、好ましい実施形態の本説明中に組み込むが、各クレームは本発明の互いに別々の好ましい実施形態として成り立つ。
【図面の簡単な説明】
次の添付図面は、本明細書中に組み込まれてその一部を成すが、以下の記述と共に、本発明の特徴と原理を説明する。
【図１Ａ】本発明の特徴と態様が実現される例示のネットワーク環境の図である。
【図１Ｂ】図１Ａに表すルックアップサービスをマッピングすることによって用いられるルックアップテーブルを示す表である。
【図２】本発明に従った第１の支払い請求取り決めの方法の例示的フローチャートである。
【図３】個人エンドユーザと、ネットワークオペレータと、マッピングルックアップサービスとの間における、図２に示す支払い請求取り決めによるやりとりの例示的な図である。
【図４】本発明に従った第２の支払い請求取り決めの方法の例示的フローチャートである。
【図５】個人エンドユーザと、ネットワークオペレータと、サービスプロバイダと、マッピングルックアップサービスとの間における、図４に示す支払い請求取り決めによるやりとりの例示的な図である。
【図６】本発明に従った第３の支払い請求取り決めの方法の例示的フローチャートである。
【図７】個人エンドユーザと、ネットワークオペレータと、サービスプロバイダと、マッピングルックアップサービスとの間における、図６に示す支払い請求取り決めによるやりとりの例示的な図である。
【図８】本発明に従った第４の支払い請求取り決めの方法の例示的フローチャートである。
【図９】個人エンドユーザと、ネットワークオペレータと、サービスプロバイダと、支払いプロバイダと、マッピングルックアップサービスとの間における、図８に示す支払い請求取り決めによるやりとりの例示的な図である。
【図１Ａ】
2004513461.tif 000003
【図１Ｂ】
2004513461.tif 000004
【図２】
2004513461.tif 000005
【図３】
2004513461.tif 000006
【図４】
2004513461.tif 000007
【図５】
2004513461.tif 000008
【図６】
2004513461.tif 000009
【図７】
2004513461.tif 000010
【図８】
2004513461.tif 000011
【図９】
2004513461.tif 000012
【国際公開パンフレット】
2004513461.tif 000013
2004513461.tif 000014
2004513461.tif 000015
2004513461.tif 000016
2004513461.tif 000017
2004513461.tif 000018
2004513461.tif 000019
2004513461.tif 000020
2004513461.tif 000021
2004513461.tif 000022
2004513461.tif 000023
2004513461.tif 000024
2004513461.tif 000025
2004513461.tif 000026
2004513461.tif 000027
2004513461.tif 000028
2004513461.tif 000029
2004513461.tif 000030
2004513461.tif 000031
2004513461.tif 000032
2004513461.tif 000033
2004513461.tif 000034
2004513461.tif 000035
2004513461.tif 000036
2004513461.tif 000037
2004513461.tif 000038
2004513461.tif 000039
2004513461.tif 000040
2004513461.tif 000041
2004513461.tif 000042
2004513461.tif 000043
2004513461.tif 000044
2004513461.tif 000045
2004513461.tif 000046
2004513461.tif 000047
2004513461.tif 000048
2004513461.tif 000049
2004513461.tif 000050
2004513461.tif 000051
2004513461.tif 000052
2004513461.tif 000053
2004513461.tif 000054
2004513461.tif 000055
2004513461.tif 000056
【国際調査報告】
2004513461.tif 000057
2004513461.tif 000058
2004513461.tif 000059
2004513461.tif 000060
2004513461.tif 000061